(57)【特許請求の範囲】
【請求項１】
モータで駆動される軸および軸に形成されたローラ面を有する駆動ローラと、軸、軸に形成されたローラ面、軸に嵌められた少なくとも１つの内筒および少なくとも１つの内筒に嵌められた少なくとも１つの外筒を有し、往復移動可能な少なくとも１つの揺動ローラと、駆動ローラと揺動ローラの外筒とを結合するベルトと、揺動ローラの外筒を回転可能に支持する転がり軸受を有する軸受装置とを備えており、
揺動ローラの内筒は、揺動ローラの軸に対して軸方向移動可能かつ回転不可能とされており、揺動ローラの外筒は、揺動ローラの内筒に対して軸方向移動不可能かつ回転不可能とされていることを特徴とする印刷機用ローラユニット。
【請求項２】
揺動ローラの軸に、軸方向に伸びる少なくとも１本のキー溝が形成されており、揺動ローラの内筒に、前記少なくとも１本のキー溝に軸方向移動可能に嵌り合う少なくとも１本のキーが固定されていることを特徴とする請求項１の印刷機用ローラユニット。
【請求項３】
揺動ローラの軸は、ボールスプライン軸とされ、揺動ローラの内筒は、軸との間に複数のボールを保持したボールスプラインナットとされていることを特徴とする請求項１の印刷機用ローラユニット。
【発明の詳細な説明】
【技術分野】
【０００１】
この発明は、印刷機用ローラユニットに関し、特に複数の練りローラを構成するのに適した印刷機用ローラユニットに関する。
【背景技術】
【０００２】
印刷機においては、インキ壺ローラ、インキ呼び出しローラ、複数のインキ練りローラ、１または複数のインキ着けローラ、水元ローラ、水着けローラなどの種々のローラが使用されている。これらのローラのうち例えばインキ練りローラのいくつかは、回転に加えて、往復移動も行う揺動ローラとすることが求められている。特許文献１には、このような揺動ローラをモータで駆動することが開示されている。
【先行技術文献】
【特許文献】
【０００３】
【特許文献１】特開２００４−５８３３１号公報
【発明の開示】
【発明が解決しようとする課題】
【０００４】
揺動ローラの場合、通常、オイル潤滑とされているが、回転に加えて、往復移動も行うことから、発熱が大きいという問題があった。
【０００５】
この発明の目的は、往復移動を行う揺動ローラの発熱を小さくすることを可能にした印刷機用ローラユニットを提供することにある。
【課題を解決するための手段】
【０００６】
この発明による印刷機用ローラユニットは、モータで駆動される軸および軸に形成されたローラ面を有する駆動ローラと、軸、軸に形成されたローラ面、軸に嵌められた少なくとも１つの内筒および少なくとも１つの内筒に嵌められた少なくとも１つの外筒を有し、往復移動可能な少なくとも１つの揺動ローラと、駆動ローラと揺動ローラの外筒とを結合するベルトと、揺動ローラの外筒を回転可能に支持する転がり軸受を有する軸受装置とを備えており、揺動ローラの内筒は、揺動ローラの軸に対して軸方向移動可能かつ回転不可能とされており、揺動ローラの外筒は、揺動ローラの内筒に対して軸方向移動不可能かつ回転不可能とされていることを特徴とするものである。
【０００７】
この印刷機用ローラユニットによると、駆動ローラと揺動ローラとがベルトで結合されているとともに、揺動ローラが転がり軸受によって支持されることで、回転に伴う発熱が抑えられ、揺動ローラの内筒の軸に対する軸方向移動は、低速なので、グリス潤滑とすることが可能であり、オイル潤滑を不要として、発熱を大幅に抑えることができる。
【０００８】
揺動ローラの軸に、軸方向に伸びる少なくとも１本のキー溝が形成されており、揺動ローラの内筒に、前記少なくとも１本のキー溝に軸方向移動可能に嵌り合う少なくとも１本のキーが固定されていることがある。
【０００９】
また、揺動ローラの軸は、ボールスプライン軸とされ、揺動ローラの内筒は、軸との間に複数のボールを保持したボールスプラインナットとされていることがある。
【００１０】
揺動ローラの往復移動（軸方向移動）は、例えば、揺動ローラの軸に設けられたカム溝と、該カム溝に係合するカムフォロワーとによって行われる。
【発明の効果】
【００１１】
この発明の印刷機用ローラユニットによれば、上記のように、オイル潤滑を行うことなく、発熱を大幅に抑えることができる。
【図面の簡単な説明】
【００１２】
【図１】図１は、この発明の１実施形態を示す印刷機用ローラユニットの側面図である。
【図２】図２は、図１の正面図で、その一部を切り欠いて示している。
【図３】図３は、図２の要部の横断面図である。
【図４】図４は、揺動ローラの他の実施形態を示す斜視図である。
【図５】図５は、この発明の印刷機用ローラユニットの適用対象の１例である印刷機のインキ供給部分を示す側面図である。
【発明を実施するための形態】
【００１３】
以下、図面を参照して、この発明の実施形態について説明する。
【００１４】
図５は、印刷機の要部を示しており、印刷機(1)は、版を備えた版胴(2)と、版胴(2)からインキを転写されて缶、紙などに印刷を行うブランケット胴(3)と、版胴(2)にそれぞれインキを供給するためのインキ供給装置(4)とを備えている。
【００１５】
インキ供給装置(4)は、構成部材として、インキ壺(11)、インキ壺ローラ(12)、インキ呼び出しローラ(13)、インキ練りローラユニット(14)、インキ着けローラユニット(15)などを有している。
【００１６】
インキ壺(11)のインキは、インキ壺(11)とインキ壺ローラ(12)との間に形成されたインキ通路に供給され、インキ呼び出しローラ(13)によってインキ量を調整されて、インキ練りローラユニット(14)およびインキ着けローラユニット(15)を経て版胴(2)の版に供給される。
【００１７】
本発明の印刷機用ローラユニット(20)は、インキ練りローラユニット(14)に好適なもので、図１から図３までに示すように、モータ(21)によって駆動される駆動ローラ(22)と、複数（図示は３つ）の往復移動可能な揺動ローラ(23)と、駆動ローラ(22)および複数の揺動ローラ(23)に巻き掛けられたベルト(24)と、ベルト(24)に張力を付与する中間ローラ(25)(26)と、駆動ローラ(22)および複数の揺動ローラ(23)を回転可能に支持する軸受装置(27)とを備えている。
【００１８】
印刷機用ローラユニット(20)は、固定部材である機枠(28)に支持されている。
【００１９】
駆動ローラ(22)は、クラッチ(29)を介してモータ(21)と結合されている軸(31)と、軸(31)の中程に一体に形成された大径部（ローラ面）(32)と、軸(31)のモータ側端部近くに一体に形成されたベルト巻き掛け部(33)とを有している。
【００２０】
揺動ローラ(23)は、駆動ローラ(22)の軸(31)に平行に配置された軸(41)と、軸(41)の中程に一体に形成された大径部（ローラ面）(42)と、駆動ローラ(22)のベルト巻き掛け部(33)に対応する位置において軸(41)の外周に嵌められた内筒(43)と、内筒(43)の外周に嵌められた外筒(44)と、軸(41)のモータ(21)に近い側の端部に一体に形成されてカムフォロワー(30)に対応するカム溝(46)を有する大径部(45)とを有している。
【００２１】
内筒(43)および外筒(44)は、軸(41)のモータ(21)から遠い側の端部の近傍にも配置されている。
【００２２】
軸(41)と内筒(43)とは、キー(47)によって結合されている。キー(47)は、内筒(43)のキー溝(43a)内に固定されている。軸(41)のキー溝(41a)の軸方向長さは、キー(47)の軸方向長さよりも大きくなされている。これにより、軸(41)と内筒(43)とは、軸方向に相対移動可能で、かつ、一体で回転するようになされている。
【００２３】
内筒(43)は外筒(44)にしまりばめで嵌められており、これにより、内筒(43)と外筒(44)とは、軸方向に相対移動不可能で、かつ、一体で回転するようになされている。
【００２４】
カム溝(46)は、大径部(45)の外周に沿って軸方向に移動して元の位置に戻る閉ループ状とされている。カムフォロワー(30)は、機枠(28)に支持されている。
【００２５】
軸受装置(27)は、駆動ローラ(22)の両端部をそれぞれ支持する玉軸受（転がり軸受）(51)と、揺動ローラ(23)の両端部に配置された外筒(44)をそれぞれ支持する１対の玉軸受（転がり軸受）(52)とを有している。
【００２６】
駆動ローラ(22)を支持する玉軸受(51)は、その外輪(51a)が機枠(28)に固定され、その内輪(51b)が軸(31)の外周面に固定されている。揺動ローラ(23)を支持する１対の玉軸受(52)は、その外輪(52a)が機枠(28)に固定され、その内輪(52b)が外筒(44)の外周面に固定されている。
【００２７】
上記の印刷機用ローラユニット(20)によると、駆動ローラ(22)と揺動ローラ(23)とがベルト(24)で結合されているので、歯車による動力伝動が不要であり、発熱が抑えられる。また、揺動ローラ(23)が玉軸受(52)によって回転可能に支持されていることによっても、回転に伴う発熱が抑えられる。そして、揺動ローラ(23)の内筒(43)の軸(41)に対する軸方向移動は、回転を伴わないので、軸方向移動に伴う発熱も抑えられる。軸方向移動は、低速なので、グリス潤滑とすることが可能であり、回転の支持が転がり軸受(52)によって行われることで、オイル潤滑を不要として、発熱を大幅に抑えることができる。
【００２８】
上記において、キー(47)は、別部材とされているが、内筒(43)に一体に設けられていてもよい。また、キー(47)に代えて、軸(41)をスプライン軸またはセレーション軸として、内筒(43)に軸(41)に嵌まり合う複数の軸方向溝を設けるようにしてもよい。また、内筒(43)と外筒(44)とをキーで結合するようにしてもよい。
【００２９】
さらにまた、揺動ローラ(23)の軸(41)および内筒(43)について、図４に示すように、複数の軸方向溝(61a)が設けられたボールスプライン軸（上記の軸(41)に相当）(61)と、軸方向溝(61a)内を転動する複数のボール(62)と、ボールスプライン軸(61)との間に形成されたボール通路(63a)および内部に形成されたボール戻し通路(63b)を有するボールスプラインナット（上記の内筒(43)に相当）(63)とを備えたボールスプラインを適用するようにしてもよい。
【００３０】
なお、印刷機の印刷対象は、紙でもよく、缶であってもよいし、インキ壺(11)、インキ壺ローラ(12)、インキ呼び出しローラ(13)、インキ着けローラユニット(15)などのインキ供給装置(4)の構成部材は種々の構成とすることができる。また、上記の印刷機用ローラユニット(20)は、揺動ローラを含むインキ練りローラユニット(14)以外のローラユニットにも適用することができる。揺動ローラ(23)の数は、１つであってもよく、３つ以外の複数であってもよい。
【符号の説明】
【００３１】
(20)：印刷機用ローラユニット、(21)：モータ、(22)駆動ローラ、(23）：揺動ローラ、(24)：ベルト、(27)：軸受装置、(30)：カムフォロワー、(31)：軸、(32)：大径部（ローラ面）、(41)：軸、(41a)：キー溝、(42)：大径部（ローラ面）、(43)：内筒、(43a)：キー溝、(44)：外筒、(46)：カム溝、(47)：キー、(52)：玉軸受（転がり軸受）、(61)：ボールスプライン軸、(62)：ボール、(63)：ボールスプラインナット
【図１】
0006460898.tif 000002
【図２】
0006460898.tif 000003
【図３】
0006460898.tif 000004
【図４】
0006460898.tif 000005
【図５】
0006460898.tif 000006